(57)【要約】【課題】日常生活の中でストレスや疲労感を感じたときにいつでもストレス度の検査が行えるストレス判定システムを提供する。【解決手段】ストレス判定システムＳは、携帯電話１と、インターネットＮＴを介して携帯電話１が接続されるサーバ２とを備えている。携帯電話１は、被験者の眼球Ｅに対してフラッシュ光を発光させる発光部１２と、被験者の眼球Ｅの画像を撮像する撮像カメラ１１と、撮像した眼球Ｅの画像をサーバ２に送信したり、ストレス度の判定結果をサーバ２から受信するための送受信部１４と、受信したストレス度の判定結果を表示する表示部１３とを備えている。一方、サーバ２は、携帯電話１から送信された眼球Ｅの画像を受信したり、ストレス度の判定結果を携帯電話１に送信するための送受信部２１と、受信した眼球Ｅの画像から検出した被験者の瞳孔の対光反応に基づいて被験者のストレス度を判定する判定部２２とを備えている。【選択図】図１
2009142469.tif 000002
【特許請求の範囲】
【請求項１】
携帯端末と、当該携帯端末がネットワークを介して接続されるサーバとを有し、前記携帯端末は、被験者の眼に対して発光する発光手段と、被験者の眼球の画像を撮像する撮像手段と、当該撮像手段により撮像した被験者の眼球の画像を前記サーバに送信する送信手段と、表示手段とを備えるとともに、前記サーバは、前記携帯端末から送信された前記画像を受信する受信手段と、前記発光手段の光による被験者の瞳孔の対光反応を前記画像から検出し、検出した瞳孔の対光反応に基づいて被験者のストレス度を判定するストレス判定手段と、当該ストレス判定手段による判定結果を前記携帯端末に送信する送信手段とを備え、前記表示手段は、前記サーバから送信されたストレス度の判定結果を表示することを特徴とするストレス判定システム。
【発明の詳細な説明】
【技術分野】
【０００１】
本発明は、ストレス判定システムに関するものである。
【背景技術】
【０００２】
従来より、持ち運びができる瞳孔計が提供されている（例えば特許文献１参照）。この瞳孔計は略矩形箱状の器体を有し、器体の被験者側の面には被験者の眼球を撮像するＣＭＯＳイメージセンサや、被験者の眼球に可視光を照射する可視光ＬＥＤが設けられ、器体の検査者側の面（被験者側と反対側の面）にはＣＭＯＳイメージセンサの撮像した眼球の画像や演算部の演算結果を表示する表示用ＬＣＤが設けられている。また、器体の下側には、瞳孔計を片手で把持するための把持棒が器体内に収納自在に設けられている。
【０００３】
この瞳孔計は、例えば可視光ＬＥＤから光を照射させた際の瞳孔の対光反応に基づいて瞳孔検査を行うものであるが、本発明者らは瞳孔の対光反応とストレス度の関連性に着目し、この種の瞳孔計をストレス度の検査に用いることを考えた。
【特許文献１】特開２００２−２３８８５３号公報（段落［００１６］−段落［００２１］、及び、第１図）
【発明の開示】
【発明が解決しようとする課題】
【０００４】
上述したストレス度の検査は、日常生活の中でストレスや疲労感を感じたときに行えるのが望ましい。しかし、上述の特許文献１に示す瞳孔計は持ち運びできるものではあるが、日常生活の中で携帯されるものではないため、必要と感じたときにストレス度の検査が行えるものではなかった。
【０００５】
本発明は上記問題点に鑑みて為されたものであり、その目的とするところは、日常生活の中でストレスや疲労感を感じたときにいつでもストレス度の検査が行えるストレス判定システムを提供することにある。
【課題を解決するための手段】
【０００６】
請求項１の発明は、携帯端末と、当該携帯端末がネットワークを介して接続されるサーバとを有し、携帯端末は、被験者の眼に対して発光する発光手段と、被験者の眼球の画像を撮像する撮像手段と、当該撮像手段により撮像した被験者の眼球の画像をサーバに送信する送信手段と、表示手段とを備えるとともに、サーバは、携帯端末から送信された画像を受信する受信手段と、発光手段の光による被験者の瞳孔の対光反応を画像から検出し、検出した瞳孔の対光反応に基づいて被験者のストレス度を判定するストレス判定手段と、当該ストレス判定手段による判定結果を携帯端末に送信する送信手段とを備え、表示手段は、サーバから送信されたストレス度の判定結果を表示することを特徴とする。
【発明の効果】
【０００７】
請求項１の発明によれば、携帯端末の撮像手段で撮像した被験者の眼球の画像をサーバに送信することによって、サーバでは当該画像から検出した被験者の瞳孔の対光反応に基づいてストレス判定手段が被験者のストレス度を判定するので、被験者は撮像した自己の眼球の画像をサーバに送信するだけでよく、またその判定結果を携帯端末の表示手段に表示させることができるので、日常生活の中でストレスや疲労感を感じたときにいつでもストレス度の検査を行うことができるという効果がある。また、ストレス度を判定するためのストレス判定手段をサーバ側に設けているので、携帯端末側の機能を簡素化することができ、各携帯端末側にそれぞれストレス判定手段を設けた場合と比較してコストアップを抑えることができるという効果もある。
【発明を実施するための最良の形態】
【０００８】
本発明の実施形態を図１及び図２に基づいて説明する。本実施形態のストレス判定システムＳは、被験者の瞳孔の対光反応を利用したものであり、被験者のストレス状態を判定するために用いられる。
【０００９】
ストレス判定システムＳは、図１に示すように携帯電話１（携帯端末）と、インターネットＮＴ（ネットワーク）を介して携帯電話１が接続されるサーバ２とを備えている。
【００１０】
携帯電話１は、例えばＬＥＤからなり被験者Ｐの眼球Ｅに対してフラッシュ光を発光させる発光部１２（発光手段）と、例えばＣＣＤカメラからなり被験者Ｐの眼球Ｅの画像を撮像する撮像カメラ１１（撮像手段）と、撮像した眼球Ｅの画像をサーバ２に送信したり、後述するストレス度の判定結果をサーバ２から受信するための送受信部１４と、受信したストレス度の判定結果を表示する表示部１３（表示手段）と、携帯電話１を操作するための操作部１５と、これらを制御するための制御部１０とを備えている。ここに、送受信部１４により携帯端末の送信手段が構成されている。なお、携帯電話１には、ストレス度の検査を行う検査プログラムが組み込まれており、操作部１５によりこの検査プログラムが実行されるようになっている。
【００１１】
一方、サーバ２は、制御部２０と、携帯電話１から送信された眼球Ｅの画像を受信したり、後述するストレス度の判定結果を携帯電話１に送信するための送受信部２１とを備えており、制御部２０には、受信した眼球Ｅの画像から検出した被験者Ｐの瞳孔の対光反応に基づいて被験者Ｐのストレス度を判定する判定部２２が設けられている。ここに、送受信部２１によりサーバの送信手段および受信手段が構成されている。
【００１２】
ここで、上記判定部２２が被験者Ｐの瞳孔の対光反応を評価する指標として、例えば潜時（フラッシュ光を照射してから瞳孔反応が現われるまでの時間）や、縮瞳時間（瞳孔反応において、縮瞳中のある時点からある時点までの時間間隔）や、縮瞳速度（単位時間当たりの縮瞳量の変化量）などがあり、判定部２２では携帯電話１から送信された眼球Ｅの各画像から例えば瞳孔径をそれぞれ演算により算出し、算出した瞳孔径の変化に基づいて上記指標が算出される。そして、算出した指標を評価テーブル（図示せず）などを用いて評価することによって、被験者Ｐのストレス度が判定できるようになっている。なお、上述した指標を算出するためには、受信する眼球Ｅの画像は動画であることが望ましいが、縮瞳前後の複数枚の静止画であってもよい。
【００１３】
次に、本実施形態のストレス判定システムＳを用いた検査処理について説明する。まず、図２に示すように、撮像カメラ１１を起動して画面内に被験者Ｐの眼球Ｅを収めた状態で、操作部１５により上記検査プログラムを実行させると、まず撮像カメラ１１により被験者Ｐの眼球Ｅの画像が撮像される。この時、発光部１２によりフラッシュ光を発光させることで瞳孔の対光反応が誘発され、フラッシュ光を発光させる前後の眼球Ｅの静止画像または動画が撮影される。そして、制御部１０は、撮像カメラ１１による撮像が終了すると、撮像した眼球Ｅの画像を送受信部１４からインターネットＮＴを介してサーバ２に送信させる。
【００１４】
一方、サーバ２では、送受信部２１により眼球Ｅの画像を受信すると、制御部２０は、受信した眼球Ｅの画像に基づいて判定部２２に上述した指標を算出させ、評価テーブルにより被験者Ｐのストレス度を判定させる。そして、携帯電話１から判定結果送信要求があると、制御部２０は、ストレス度の判定結果を送受信部２１からインターネットＮＴを介して携帯電話１に送信させ、携帯電話１では、ストレス度の判定結果を受信すると、制御部１０は当該判定結果を表示部１３に表示させる。なお、判定結果の送信方法については上記方法に限定されるものではなく、サーバ２側で自動的に携帯電話１に送信するように構成してもよい。
【００１５】
而して、本実施形態では、携帯電話１の撮像カメラ１１で撮像した被験者Ｐの眼球Ｅの画像をサーバ２に送信することによって、サーバ２では当該画像から検出した被験者Ｐの瞳孔の対光反応に基づいて判定部２２が被験者Ｐのストレス度を判定するので、被験者Ｐは撮像した自己の眼球Ｅの画像をサーバ２に送信するだけでよく、またその判定結果を携帯電話１の表示部１３に表示させることができるので、日常生活の中でストレスや疲労感を感じたときにいつでもストレス度の検査を行うことができる。また、ストレス度を判定するための判定部２２をサーバ２側に設けているので、携帯電話１側の機能を簡素化することができ、各携帯電話１側にそれぞれ判定手段を設けた場合と比較してコストアップを抑えることができる。
【００１６】
なお、本実施形態では、携帯端末として携帯電話１を用いているが、携帯端末は携帯頻度の高いものであって、ネットワークを介してサーバに接続する機能、カメラ及び発光部を備えたものであればよく、例えばＰＤＡや携帯型のノートパソコンなどであってもよい。
【図面の簡単な説明】
【００１７】
【図１】本実施形態のストレス判定システムのシステム概略図である。
【図２】同上を説明するための説明図である。
【符号の説明】
【００１８】
１  携帯電話（携帯端末）
２  サーバ
１１  撮像カメラ（撮像手段）
１２  発光部（発光手段）
１３  表示部（表示手段）
１４  送受信部（送信手段）
２１  送受信部（受信手段および送信手段）
２２  判定部（ストレス判定手段）
Ｅ  眼球
ＮＴ  インターネット（ネットワーク）
Ｐ  被験者
Ｓ  ストレス判定システム
【図１】
2009142469.tif 000003
【図２】
2009142469.tif 000004